【手続補正書】
【提出日】平成28年8月5日(2016.8.5)
【手続補正１】
【補正対象書類名】明細書
【補正対象項目名】０２０７
【補正方法】変更
【補正の内容】
【０２０７】
本開示の様々な特徴及び態様が以下の特許請求の範囲において記載される。
本開示は以下も包含する。
［１］  医療用物品と共に使用するように構成されたブラケットであって、
縦軸及び第１主面を有する基部と、
前記基部に連結され、前記基部から上方へ前記基部の第１主面に概ね垂直な方向に延在するポストであって、前記医療用物品が前記ブラケットに連結されているときに前記医療用物品の少なくとも縦方向の移動を抑制するために前記医療用物品の外面に当接するように構成されているポストと、
前記基部に連結され、前記基部の第１主面に概ね平行に延在するアームであって、前記医療用物品の少なくとも一部分を受容するように寸法決めされたチャネルを前記アームの下に画定するために前記基部の第１主面から離間して配置されており、前記アームが片持ち状になるように固定端及び自由端を含んでおり、かつ前記医療用物品が前記ブラケットに連結されているときに少なくとも前記基部の第１主面に概ね垂直な方向における前記医療用物品の移動を抑制するように構成されているアームと、を備え、
前記ポスト及び前記アームは、前記基部に対してそれぞれ固定されている、ブラケット。
［２］  医療用物品を医療用物品固定システムに連結する方法であって、
医療用物品を提供する工程と、
ブラケットを備えている医療用物品固定システムを提供する工程であって、前記ブラケットが、
縦軸及び第１主面を有する基部と、
前記基部から上方へ前記基部の第１主面に概ね垂直な方向に延在するポストと、
前記基部の第１主面に概ね平行に延在するアームであって、前記医療用物品の少なくとも一部分を受容するように寸法決めされたチャネルを前記アームの下に画定するために前記基部の第１主面から離間して配置され、かつ前記アームが片持ち状になるように固定端及び自由端を含むアームと、を備えている、工程と、
前記医療用物品の外面を前記ポストに当接させる工程と、
前記医療用物品の一部分を前記アームの自由端に隣接して配置することによって前記医療用物品の一部分を前記アームによって画定された前記チャネルの中に移動させるとともに、前記医療用物品の一部分を前記アームの下で前記チャネルの中に滑動させる工程と、を含んでいる、方法。
［３］  前記医療用物品の一部分を前記アームによって画定された前記チャネルの中に移動させる工程は、前記医療用物品の外面を前記ポストに当接させる工程と実質的に同時に起こる、上記態様２に記載の方法。
［４］  前記チャネルは第１のチャネルであり、前記ポストは、第２のチャネルを間に画定するように横方向の或る距離だけ離間して配置された複数のポストのうちの１つであり、前記医療用物品の一部分を前記第２のチャネルの中に配置する工程を更に含んでいる、上記態様２又は３に記載の方法。
［５］  前記医療用物品の一部分を前記第２のチャネルの中に配置する工程は、前記医療用物品の外面を前記ポストに当接させる工程と実質的に同時に起こる、上記態様４に記載の方法。
［６］  前記ポストは、半径方向に延在する突起を有していない、上記態様１に記載のシステム又は上記態様２〜５のいずれかに記載の方法。
［７］  前記基部の縦軸が縦方向を画定しており、前記ポストの遠位端が前記基部に向かってテーパ状になるように、前記ポストの上端における前記ポストの前記縦方向の長さが、前記基部に隣接する前記ポストの下端における前記ポストの前記縦方向の長さよりも大きくされている、上記態様１若しくは６に記載のブラケット、又は上記態様２〜６のいずれかに記載の方法。
［８］  前記ポストの遠位端は、前記医療用物品の外面に当接するように構成されている、上記態様１、６及び７のいずれかに記載のブラケット、又は上記態様２〜７のいずれかに記載の方法。
［９］  前記アームの固定端は、前記ポストの遠位端を越えてさらに遠位側に位置しない、上記態様１及び６〜８のいずれかに記載のブラケット、又は上記態様２〜８のいずれかに記載の方法。
［１０］  前記アームは、前記ポストに対して近位側に位置する、上記態様１及び６〜９のいずれかに記載のブラケット、又は上記態様２〜９のいずれかに記載の方法。
［１１］  前記ポストは、片持ち状の前記アームの台座を提供する、上記態様１及び６〜１０のいずれかに記載のブラケット、又は上記態様２〜１０のいずれかに記載の方法。
［１２］  前記アームは、前記基部の縦軸に対して概ね平行に延在する、上記態様１及び６〜１１のいずれかに記載のブラケット、又は上記態様２〜１１のいずれかに記載の方法。
［１３］  前記アームは、前記基部の縦軸に対して概ね横方向に延在する、上記態様１及び６〜１１のいずれかに記載のブラケット、又は上記態様２〜１１のいずれかに記載の方法。
［１４］  前記アームは、前記基部の縦軸に対して概ね横方向に延在し、前記アームの固定端から自由端にまで及ぶ横幅を有し、前記ポストは、前記アームの横幅によって画定された前記基部の幅の範囲内に位置する、上記態様１及び６〜１１のいずれかに記載のブラケット、又は上記態様２〜１１のいずれかに記載の方法。
［１５］  前記基部、前記ポスト、及び前記アームは、一体的に形成されている、上記態様１及び６〜１４のいずれかに記載のブラケット、又は上記態様２〜１４のいずれかに記載の方法。
【手続補正２】
【補正対象書類名】特許請求の範囲
【補正対象項目名】全文
【補正方法】変更
【補正の内容】
【特許請求の範囲】
【請求項１】
医療用物品と共に使用するように構成されたブラケットであって、
縦軸及び第１主面を有する基部と、
前記基部に連結され、前記基部から上方へ前記基部の第１主面に概ね垂直な方向に延在するポストであって、前記医療用物品が前記ブラケットに連結されているときに前記医療用物品の少なくとも縦方向の移動を抑制するために前記医療用物品の外面に当接するように構成されているポストと、
前記基部に連結され、前記基部の第１主面に概ね平行に延在するアームであって、前記医療用物品の少なくとも一部分を受容するように寸法決めされたチャネルを前記アームの下に画定するために前記基部の第１主面から離間して配置されており、前記アームが片持ち状になるように固定端及び自由端を含んでおり、かつ前記医療用物品が前記ブラケットに連結されているときに少なくとも前記基部の第１主面に概ね垂直な方向における前記医療用物品の移動を抑制するように構成されており、かつ前記基部の縦軸に対して概ね平行に延在する、アームと、を備え、
前記ポスト及び前記アームは、前記基部に対してそれぞれ固定されている、ブラケット。
【請求項２】
医療用物品を医療用物品固定システムに連結する方法であって、
医療用物品を提供する工程と、
ブラケットを備えている医療用物品固定システムを提供する工程であって、前記ブラケットが、
縦軸及び第１主面を有する基部と、
前記基部から上方へ前記基部の第１主面に概ね垂直な方向に延在するポストと、
前記基部の第１主面に概ね平行に延在するアームであって、前記医療用物品の少なくとも一部分を受容するように寸法決めされたチャネルを前記アームの下に画定するために前記基部の第１主面から離間して配置され、かつ前記アームが片持ち状になるように固定端及び自由端を含み、かつ前記基部の縦軸に対して概ね平行に延在する、アームと、を備えている、工程と、
前記医療用物品の外面を前記ポストに当接させる工程と、
前記医療用物品の一部分を前記アームの自由端に隣接して配置することによって前記医療用物品の一部分を前記アームによって画定された前記チャネルの中に移動させるとともに、前記医療用物品の一部分を前記アームの下で前記チャネルの中に滑動させる工程と、を含んでいる、方法。
【請求項３】
前記ポストは、半径方向に延在する突起を有していない、請求項１に記載のブラケット。
【請求項４】
前記ポストは、半径方向に延在する突起を有していない、請求項２に記載の方法。